(57)【要約】  データＤＡＴを保存するメモリＭＥＭと、メモリＭＥＭとホスト装置ＤＥＶとの間でデータＤＡＴを交換するためのデータインタフェースＩＮＴと、トランスポンダＴから鍵Ｋを受信するように構成された無線通信インタフェースＲＩと、鍵Ｋが所定の値Ｖを持つか否かをチェックするためのチェック手段ＣＯＭＰと、メモリＭＥＭへのアクセスを制御するためのアクセス抑制手段ＳＷと、を有し、アクセス抑制手段ＳＷはチェック手段ＣＯＭＰにより制御される、携帯型記憶装置ＭＣが開示される。メモリＭＥＭへのアクセスは、特定の鍵Ｋが受信されることができる場合にのみ認められる。このことは、アクセスが認められるためには、特定のトランスポンダＴが、携帯型記憶装置ＭＣの近隣にある必要があることを意味する。更に、ホスト装置ＤＥＶからメモリＭＥＭに転送されるデータＤＡＴは暗号化されても良く、メモリＭＥＭからホスト装置ＤＥＶに転送されるデータＤＡＴ復号化されても良い。このようにして、例えば一般に利用されるメモリカードが、認可されていないユーザに対してセキュアにされる。
2008512738.tif 000002
【特許請求の範囲】
【請求項１】
データを保存するメモリと、
電気信号を介して前記メモリとホスト装置との間でデータを交換するための、電気的な接触を有するデータインタフェースと、
鍵を受信するように構成された無線通信インタフェースと、
前記鍵が所定の値を持つか否かをチェックするためのチェック手段と、
前記メモリへのアクセスを制御するためのアクセス抑制手段と、
を有し、前記アクセス抑制手段は前記チェック手段により制御される、携帯型記憶装置。
【請求項２】
前記ホスト装置から前記メモリへ転送されるデータを暗号化する暗号化手段と、
前記メモリから前記ホスト装置へ転送されるデータを復号化する復号化手段と、
を更に有する、請求項１に記載の携帯型記憶装置。
【請求項３】
前記データインタフェースは省略され、代わりに前記無線通信インタフェースが、無線を介して前記メモリと前記ホスト装置との間でデータを交換するように更に構成されることを特徴とする、請求項１に記載の携帯型記憶装置。
【請求項４】
前記メモリ、前記無線通信インタフェース、前記チェック手段、前記アクセス抑制手段及び任意の前記データインタフェースは、単一のチップに含まれることを特徴とする、請求項１に記載の携帯型記憶装置。
【請求項５】
前記無線通信インタフェース又は前記データインタフェースは、前記メモリへの異なるアクセス動作毎に異なるアクセス権を定義するための、及び／又は前記メモリの異なる部分毎に異なるアクセス権を定義するためのアクセスレベルを受信するように構成され、前記携帯型記憶装置は更に、前記アクセスレベルを保存するための手段を有することを特徴とする、請求項１乃至４のいずれか一項に記載の携帯型記憶装置。
【請求項６】
前記アクセスレベルを設定する手段を更に有することを特徴とする、請求項５に記載の携帯型記憶装置。
【請求項７】
携帯型記憶装置のメモリとホスト装置との間でデータを交換するための方法であって、
電気的な接触又は無線リンクを介して、前記携帯型記憶装置を前記ホスト装置と接続するステップと、
所定の鍵がトランスポンダ又はモバイル装置から受信されることができる場合に、前記電気的な接触又は前記無線リンクを通した前記メモリへのアクセスを許可するステップと、
を有する方法。
【請求項８】
前記ホスト装置から前記メモリへ転送されるデータが暗号化され、前記メモリから前記ホスト装置へ転送されるデータが復号化される、請求項７に記載の方法。
【請求項９】
前記鍵が一度送信されると、前記携帯型記憶装置が前記ホスト装置から切断されるまでアクセスが許可されることを特徴とする、請求項７に記載の方法。
【請求項１０】
前記ホスト装置と前記携帯型記憶装置との間での動作についてのアクセスは、前記動作が終了するまで許可されることを特徴とする、請求項７に記載の方法。
【請求項１１】
前記メモリの少なくとも一部についてのアクセスレベルが、無線通信インタフェース又は電気的なデータインタフェースを介して前記携帯型記憶装置によって受信され、前記携帯型記憶装置に保存されることを特徴とする、請求項７乃至１０のいずれか一項に記載の方法。
【請求項１２】
トランスポンダであって、
携帯型記憶装置のメモリに対する異なるアクセス動作について異なるアクセス権を定義するための、及び／又は前記携帯型記憶装置のメモリの異なる部分について異なるアクセス権を定義するためのアクセスレベルを入力するための手段を持ち、前記携帯型記憶装置はホスト装置とデータを交換するように構成され、前記トランスポンダは更に、
無線リンクを介して、前記携帯型記憶装置に前記アクセスレベルを送信する手段を持つトランスポンダ。
【請求項１３】
モバイル装置であって、
携帯型記憶装置のメモリに対する異なるアクセス動作について異なるアクセス権を定義するための、及び／又は前記携帯型記憶装置のメモリの異なる部分について異なるアクセス権を定義するためのアクセスレベルを入力するための手段を持ち、前記携帯型記憶装置はホスト装置とデータを交換するように構成され、前記モバイル装置は更に、
電気的な接触又は無線リンクを介して、前記携帯型記憶装置に前記アクセスレベルを送信する手段を持つモバイル装置。
【請求項１４】
ディジタルカメラであって、
携帯型記憶装置のメモリに対する異なるアクセス動作について異なるアクセス権を定義するための、及び／又は前記携帯型記憶装置のメモリの異なる部分について異なるアクセス権を定義するためのアクセスレベルを入力するための手段を持ち、前記携帯型記憶装置はホスト装置とデータを交換するように構成され、前記ディジタルカメラは更に、
電気的な接触又は無線リンクを介して、前記携帯型記憶装置に前記アクセスレベルを送信する手段を持つディジタルカメラ。
【発明の詳細な説明】
【技術分野】
【０００１】
本発明は、データを保存するためのメモリと、電気信号を介して前記メモリとホスト装置との間でデータを交換するための電気的な接触を有するデータインタフェースとを有する記憶装置に関する。
【０００２】
本発明は更に、携帯型記憶装置とホスト装置との間でデータを交換するための方法であって、前記携帯型記憶装置は電気的な接触又は無線リンクを介して前記ホスト装置と接続された方法に関する。
【０００３】
最後に、本発明は前記発明に係る方法を実装するためのトランスポンダ、モバイル装置及びディジタルカメラに関する。
【背景技術】
【０００４】
ディジタル装置の増大する用途のため、ディジタル記憶装置のニーズもまた増大している。斯かる種類のディジタル記憶装置の例は、コンパクトフラッシュ（登録商標）カードのような固体メモリ、セキュアディジタル／マルチメディアカード、スマートメディアカード、メモリスティック、ピクチャカード及び所謂「マイクロドライブ」のようなハードディスク並びにＵＳＢスティック等である。斯かる記憶装置は例えば、ディジタルカメラ、パーソナルディジタルアシスタント及びＭＰ３音楽プレイヤにおいて利用されている。従って、斯かる記憶装置がしばしば私有の又は秘密のデータを含むことは理解に易しい。
【０００５】
幾つかのカードは、望ましくないデータの上書きを防ぐためのセキュアメカニズムを持つ。斯かるコピー保護の例は、セキュアディジタルマルチメディアカードにおけるスイッチである。この種のカードはまた、音楽のような著作権により保護されたデータのためのコピー保護を提供する付加的な特徴を有する。従って、データの読み取りはいつでも可能とされ、書き込みは前記スイッチが適切な位置にあるときにのみ可能とされる。スイッチは認可されていないアクセスに対してそれ程の障壁ではないため、これらの記憶装置上のデータは多かれ少なかれ安全ではない。
【０００６】
加えて、幾つかのＵＳＢスティックはパスワードにより保護されており、これにより該メモリスティックをコンピュータに差し込んだ後に、該コンピュータと該ＵＳＢスティックとの間でデータが交換可能とされる前に、所定のパスワードが入力される必要があるようにされている。通常、該パスワードはコンピュータのキーボードにより入力され、このことはセキュリティの問題に導く。なぜなら、インターネットを通したコンピュータへの攻撃は近年、残念ながら非常に一般的であるからである。従って、潜在的に探り出され得るコンピュータのキーボードを介したパスワードの入力は危険である。コンピュータに関してはパスワード保護は危険であるが、ディジタルカメラに関しては適切な方法となり得る。なぜなら、ディジタルカメラは通常、ネットワークに接続されていないからである。しかしながら、一般的なディジタルカメラには適切な入力手段がなく、そのため私有のデータの保護が、パスワードによっても不可能である。
【０００７】
データを保護するための更なる方法は、特許文献において公開された先行技術から知られている。一例は、「RFID security device for optical disc」と題された米国特許出願公開US20004/0054594（2000年3月18日）であり、光ディスク中の電圧制御された光変更層と通信するＲＦＩＤタグの形をとるセキュリティ特徴を持つ光ディスクを開示している。質問信号の存在下では、ＲＦＩＤタグが、光変更層に電圧を出力することにより、該光ディスクが通常に利用されることを可能とする。質問信号が存在しない場合には、光変更層が、レーザが前記光ディスクから読み取ること又は前記光ディスクに書き込むことを防ぐ。
【０００８】
「Radio frequency tags for media access and control」と題された米国特許US6,717,507（2004年4月6日）は、ＣＤのような電子メディアのアクセス及び更には制御を提供するシステムであって、ＲＦＩＤタグがまた、メディアプレイヤに接続されたＲＦトランシーバによりポーリングされたときに特定のメディアソースにアクセスするようにプログラムされたメモリを持つシステムを開示している。米国特許出願US20004/0054594の場合におけるように、ユーザ認証はＣＤ自体に実行されず、メディアプレイヤにおいて実行される。ＲＦＩＤタグはここでは、アクセス又は制御情報を保存するのみのためのものである。
【０００９】
「Method and system for controlling access」と題された米国特許出願公開2004/0029563（2004年2月12日）は更に、ＰＣ又はモバイル電話へのアクセスを提供する方法であって、該ＰＣ又はモバイル電話が、一定の第１の通信可能範囲を持つ短距離無線送受信モジュールを有する方法を開示している。加えて、特定の第２の通信可能範囲を持つ短距離無線送受信装置も存在する。双方の通信可能範囲が重なると、短距離無線送受信装置から前記ＰＣ又はモバイル電話に識別メッセージが送信される。次いで、前記識別メッセージがチェックされ、該識別メッセージが、前記ＰＣ又はモバイル電話の機能の利用を可能とする認可を提供するか否かを決定する。
【００１０】
「Method and system to maintain portable computer data secure and authentication token for use therein」と題された米国特許出願公開US2003/0005300（2003年1月2日）は、同様のシステムを開示している。ここではラップトップディスクが暗号化され、データが該ディスクから取り出される度に、適切なラップトップのユーザに装着された又は適切なラップトップのユーザに関連する認証トークン（token）から復号化鍵を要求する短いメッセージを、該ラップトップが送信する。ユーザ及び該ユーザのトークンが存在する場合には、アクセスが可能とされる。存在しない場合には、アクセスが不可能とされ、全てのメモリ中のデータはディスクに送出される。ユーザは、短距離無線リンクを介してラップトップと通信する、小型の認証トークンを装着する。
【００１１】
「Method of authenticating a user and system for authenticating user」と題された米国特許6,515,575（2003年2月4日）は、更なる類似するシステムを開示している。ここでは、携帯型データ通信端末の無線通信可能範囲内にユーザ認証装置が検出された場合にのみ、該携帯型データ通信端末が特定の動作を実行することが可能とされる。従って、第三者がユーザの許可なく前記携帯型データ通信端末を利用することを防ぐことが可能である。
【００１２】
最後に、「IC card with radio interface function, antenna module and data processing apparatus using the IC card」と題された米国特許出願公開US2001/0006902（2001年7月5日）は、セキュアディジタルメモリカード（ＳＤメモリカード）のための付加的な特徴を開示している。該ＳＤメモリカードはＲＦ回路、コントローラ及びフラッシュメモリを含む。該ＲＦ回路は、該ＳＤメモリカードに取り付けられたアンテナモジュールに接続される。前記コントローラは、無線インタフェース制御、及び該ＳＤメモリカード用のインタフェース制御を実行する。かくして該ＳＤメモリカードは、良く知られたＰＣＭＣＩＡモデム機能に類似するモデムとして動作することができる。
【発明の開示】
【発明が解決しようとする課題】
【００１３】
上述したように、先行技術は、携帯型記憶装置上のデータへの認可されていないアクセスを防止するための、容易で且つセキュアな機能を欠いている。本発明の課題はそれ故、認可されていないアクセスを防止することが可能な携帯型記憶装置を規定することにある。
【課題を解決するための手段】
【００１４】
本発明の本課題は、鍵を受信するように構成された無線通信インタフェースと、前記鍵が所定の値を持つか否かをチェックするためのチェック手段と、前記メモリへのアクセスを制御するためのアクセス抑制手段と、を有し、前記アクセス抑制手段は前記チェック手段により制御される、上述した種類の携帯型記憶装置により解決される。
【００１５】
上述したように、前記記憶装置はアクセスを認めるための鍵を予期する。それ故、アクセスが認められる前に、鍵を送信する要求が放送される。このことは、前記携帯型記憶装置が、それぞれが電力供給されたホスト装置に接続されたとき、又は例えばホスト装置からアクセスが要求されたときに発生する。好ましくは該鍵は、スマートカード（キーカード）のようなトランスポンダ、又はモバイル電話若しくはＰＤＡ（personal digital assistant）に保存される。しかしながら、前記携帯型記憶装置に鍵を送信することが可能な他の装置も想定可能である。前記要求に基づいて、前記鍵が前記携帯型記憶装置に送信され、該装置において保存された鍵と比較される。合致があればアクセス抑制手段を通してアクセスが認められ、そうでなければ認められない。前記鍵はまた、前記携帯型記憶装置からの特別な要求なく、定期的にトランスポンダ又はモバイル装置から送信されても良いことは、更に言及されるべきである。
【００１６】
アクセス抑制手段を設計するための、幾つかのとり得る方法がある。１つは、ホスト装置とメモリとの間のデータ経路上の切り換え可能な接続である。データインタフェースとメモリとの間の実物のスイッチ、及びチェック手段により制御されるメモリ又はインタフェース用の抑制ステップ入力があっても良い。スイッチ、インタフェース及び比較器等のような別個のモジュールへの分割は本発明に必須ではないことは言及されるべきである。逆に、種々のモジュールがより多くの機能的な意味を持つような、モジュールのいずれに組み合わせもが可能である。例えば、比較器、アクセス抑制手段及びデータインタフェースが、１つの装置コントローラに一体化されることも可能である。
【００１７】
アクセス抑制手段の他の可能性は、メモリ又はデータインタフェースのような前記記憶装置のその他の関連部分のための、切り換え可能な電力源である。前記記憶装置のメモリ又は関連する部分の電力を切ることは、第１にアクセスを拒否すること、第２にエネルギーを節約することという、２つの利点を併せ持つ。ディジタルカメラ、ＰＤＡ及びモバイル電話等のようなホスト装置は通常バッテリにより電力を供給されるため、このことは比較的重要である。
【００１８】
アクセス抑制手段が、アクセスが拒絶されたときに前記ホスト装置に転送されるデフォルトデータの形をとることも可能である。斯かるデフォルトデータは、デフォルトのファイルシステム、デフォルトのテキスト、デフォルトの画像又は暗号化されたデータであっても良い。例えばデフォルトデータは、共にアクセスが拒絶されたという情報を含む２つのファイル「readme.txt」と「seeme.jpg」を持つファイルシステムを有しても良い。かくしてこの場合、seeme.jpgがディジタルカメラのモニタ上に表示されても良い。
【００１９】
有利にも、ホスト装置は、本発明による記憶装置と共に動作するために、必ずしも再設計される必要がない。実際には例えば、標準的なディジタルカメラと組み合わせて本発明によるメモリカードを利用することが可能であり、又は標準的なコンピュータと組み合わせて本発明によるＵＳＢスティックを利用することが可能である。それ故、データを保護することが先行技術と組み合わせて提供されることができ、ユーザにますます受け入れられる。
【００２０】
本発明の好適な実施例は、前記ホスト装置から前記メモリへ転送されるデータを暗号化する暗号化手段と、前記メモリから前記ホスト装置へ転送されるデータを復号化する復号化手段と、を更に有する携帯型装置により与えられる。この場合、前記携帯型記憶装置上のデータは、適切な鍵を持つことなく侵入者が有用な情報を得ることが略不可能となるように暗号化される。従ってデータは、前記記憶装置のメモリに書き込まれるときに暗号化され、ホスト装置に転送されるときに復号化される。暗号化のために、基本的に２つの可能性、即ち対称鍵暗号化と非対称鍵暗号化とがある。
【００２１】
対称鍵暗号化を用いる場合、暗号化鍵は復号化鍵から算出されることができ、またその逆も成り立つ。殆どの対称アルゴリズムは更に、暗号化と復号化とで同一の鍵を利用する。対称鍵暗号化の実装は非常に効率的になり得、ユーザは暗号化及び復号化の結果として著しい時間遅延を経験しない。対称鍵暗号化は、関与する二者により対称鍵が秘密に保たれる場合にのみ効果的である。他の誰かが該鍵を発見すると、もはやデータは安全ではなくなる。
【００２２】
非対称鍵暗号化（公開鍵暗号化とも呼ばれる）は、鍵の対即ち公開鍵と秘密鍵とを含む。ここで公開鍵は公開され、対応する秘密鍵がユーザにより秘密に保たれる。公開鍵を用いて暗号化されたデータは、対応する秘密鍵によってのみ復号化されることができる。対称鍵暗号化に比べて、公開鍵暗号化はより多くの計算を必要とする。
【００２３】
前記携帯型記憶装置を開錠するための鍵と暗号化のための鍵とは、同一である必要はない。通常、この理由のため第２の鍵が利用される。該第２の鍵は好ましくは、トランスポンダ又はモバイル装置に保存され、第１の鍵と共に又は別個の手順で記憶装置に転送されることができる。第２の鍵がトランスポンダ又はモバイル装置に保存される場合には、ホストの装置の近くで単にキーカードを保持する必要があるのみであるユーザを煩わせることなく、該鍵が容易にアクセスされることができる。しかしながら勿論、ホスト装置上の入力手段を介してキーを入力することも可能である。対称鍵暗号化の場合には第２の鍵は対称鍵であり、非対称鍵暗号化の場合には第２の鍵は秘密鍵である。公開鍵は秘密ではないため、携帯型記憶装置又はホスト装置に保存されることができる。非対象鍵暗号化の利点は、暗号化されたデータがキーカードを持たない携帯型記憶装置に保存されても良いことである。
【００２４】
また、異なるファイルが異なる鍵を用いて暗号化されても良い。ここで鍵（対称鍵暗号化）又は鍵の対（非対称鍵暗号化）は、異なるユーザに関連しても良い。このようにして、携帯型記憶装置は、各ユーザのプライバシーを損なうことなく、異なるユーザによって利用されることができる。第２の鍵が携帯型記憶装置において受信されない場合には、単に暗号化されたデータをホスト装置に表示することも可能である。従って、何をするべきかの決定は、暗号化されたデータを記憶装置にアクセスするための失敗した試みと解釈するであろうホスト装置又はユーザへと移行される。
【００２５】
本発明の更なる好適な実施例は、前記データインタフェースは省略され、代わりに前記無線通信インタフェースが、無線を介して前記メモリと前記ホスト装置との間でデータを交換するように更に構成される場合に与えられる。この場合、携帯型記憶装置とホスト装置との間の通信は、無線通信インタフェースを介して行われる。このことが、電気的な接触を持つ別個のデータインタフェースが省略され得る理由であり、これにより記憶装置の複雑さが低減される。更に、利用の容易性を増大させる非接触型データ転送が提供される。
【００２６】
前記メモリ、前記無線通信インタフェース、前記チェック手段、前記アクセス抑制手段及び任意の前記データインタフェースが、単一のチップに含まれる場合、更に有利である。前記携帯型記憶装置の全体又は一部を単一のチップに組み込むことは、認可されていない利用の可能性を低減させる。メモリ及びアクセス抑制手段のための別個の部分がある場合には、侵入者は例えば、記憶装置からメモリチップを取り出し、セキュアメカニズムを持たない記憶装置に該メモリチップをはんだ付けすることが可能となり得る。このようにして、該侵入者は認証なしで私有データを利用することができるようになる。
【００２７】
また、前記無線通信インタフェース又は前記データインタフェースは、前記メモリへの異なるアクセス動作毎に異なるアクセス権を定義するための、及び／又は前記メモリの異なる部分毎に異なるアクセス権を定義するためのアクセスレベルを受信するように構成され、前記携帯型記憶装置は更に、前記アクセスレベルを保存するための手段を有する場合も有利である。本実施例は、コードを実行するために、データの読み取り、書き込み、変更又は削除のような、種々のアクセス権を与える可能性を提供する。このようにして例えば、保持する価値がある一方でそれ程秘密であるものでもないファイルは、読み取りのためにマークされることができる。これにより、全てのユーザは該データを読み取ることができるが、該データを変更又は消去することはできない。このことは特に、より多くのユーザが単一の記憶装置を共有する場合に有用である。各ファイルに別個のアクセス権を付与すること、又はメモリ全体又は例えばパーティション若しくはディレクトリのようなメモリの少なくとも一部に別個のアクセス権を付与することも可能である。
【００２８】
好ましくは、前記記憶装置は更に、前記アクセスレベルを設定する手段を有する。該手段はボタンやホイール等であっても良い。言うまでもなく、アクセスレベルを変更することは、キーカードが該記憶装置の近隣にある場合にのみ可能であるべきである。従って、アクセスレベル記憶装置への書き込みは、チェック手段の結果が真である場合にのみ可能とされる。
【００２９】
本発明の課題はまた、前述した種類の方法であって、所定の鍵がトランスポンダ又はモバイル装置から受信されることができる場合に、前記電気的な接触又は前記無線リンクを通した前記メモリへのアクセスを許可するステップを更に有する方法により解決される。ここで、本発明の記憶装置の利点及び好適な実施例は、本発明の方法にも適用可能であり、またその逆も成り立つことに留意されたい。更に、本方法のステップは、必ずしも前述された順序で実行される必要はないことに留意されたい。実際に、記憶装置がホスト装置に接続される前に、アクセスがチェックされ許可されても良い。前記ステップを実行するため、メモリカードはこの場合「アクティブ」（例えばバッテリ又はコンデンサにより電力供給されることを意味する）であっても良い。しかしながら、パッシブなメモリカードに電力供給し、必要な鍵を送信するための、適切な無線インタフェース（例えば近接場通信のための規格に従う）を持つモバイル装置も想定可能である。
【００３０】
好適な実施例においては、携帯型記憶装置とホスト装置との間の電気的又は無線接続は、該携帯型記憶装置が該接続により電力供給されるような種類のものである。従って、バッテリにより電力供給される記憶装置は必要ない。
【００３１】
前記ホスト装置から前記メモリへ転送されるデータが暗号化され、前記メモリから前記ホスト装置へ転送されるデータが復号化される場合は有利である。上述したように、データ暗号化は、ユーザが認可されていないアクセスを行うことを防ぐ。
【００３２】
前記鍵が一度送信されると、前記携帯型記憶装置が前記ホスト装置から切断されるまでアクセスが許可される場合、更に有利である。この場合、記憶装置に鍵を送信する許可装置は、必ずしも常に該記憶装置の近隣にある必要はない。鍵は一度送信されると、記憶装置がホスト装置から引き抜かれそれ故電源を切られるまで、又はホスト装置及びメモリカード（メモリカードにバッテリがない場合）の電源が切られるまで、有効である。鍵は所定の時間の間有効であっても良く、その場合携帯型記憶装置はキーカードを渡すことなく他のユーザに貸し出されることができる。
【００３３】
前記ホスト装置と前記携帯型記憶装置との間での動作についてのアクセスが、前記動作が終了するまで許可される場合も有利である。この場合、所定の鍵が受信されることができるか否かが定期的にチェックされる。しかしながら、キーカードが記憶装置の近隣にもはや無い場合であっても、ホスト装置と記憶装置との間で実行中の動作は中断されない。例えば、キーカードは、データがホスト装置から記憶装置へと書き込まれている間に取り外される。アクセスが即座に拒絶される場合には、例えばファイルの一部のみが記憶装置に書き込まれる場合に、データが損傷し得る。従って、実行中の動作が完了するまでアクセスを認めることを確実にする制御手段が備えられる必要がある。
【００３４】
特定の動作が完了するまで、完全アクセス（例えば読み取り及び書き込み）が提供される場合も有利である。例えば、要求されている動作がファイルの消去である場合であっても、ホスト装置が依然としてメモリから読み取ることができるようにして、記憶装置とホスト装置とを一貫性のある状態にすることが要求され得る。
【００３５】
最後に、前記メモリの少なくとも一部についてのアクセスレベルが、無線通信インタフェース又は電気的なデータインタフェースを介して前記携帯型記憶装置によって受信され、前記携帯型記憶装置に保存される場合、有利である。携帯型記憶装置は通常、入力手段を持たない。それ故、アクセスレベルは、例えばホスト装置（例えば入力手段を持つディジタルカメラ）又は鍵を送信する装置（例えば入力装置を持つモバイル装置又はトランスポンダ）から受信されても良い。ここでもまた、アクセスレベルの設定は、キーカード又はモバイル電話が、記憶装置の近隣にある場合にのみ可能とされるべきである。メモリの一部が、鍵を供給することなく常にアクセス可能であることも、更に有利である。この特徴は、ユーザ間で単一の記憶装置を共有することを容易化する。加えて読み取り又は書き込みアクセスが鍵を供給することなく常に可能であり、これにより例えばユーザがデータを読み取ることを可能とし一方で変更することを可能としないようにすることも可能である。
【００３６】
最後に、トランスポンダ、モバイル装置又はディジタルカメラが、携帯型記憶装置のメモリに対する異なるアクセス動作について異なるアクセス権を定義するための、及び／又は前記携帯型記憶装置のメモリの異なる部分について異なるアクセス権を定義するためのアクセスレベルを入力するための手段を持ち、前記携帯型記憶装置はホスト装置とデータを交換するように構成され、前記トランスポンダ、モバイル装置又はディジタルカメラが更に、無線リンクを介して、前記携帯型記憶装置に前記アクセスレベルを送信する手段を持つ場合も有利である。
【００３７】
携帯型記憶装置は通常入力手段を有さないため、通常これら入力手段を持つ、アクセスレベルを入力するための装置を利用することが有用である。このようにして、携帯型記憶装置のための技術的な複雑さは低く保たれる。なぜなら、例えばボタン又はディスプレイの形をとる「ハードウェア」が導入される必要がないからである。一方、例えばモバイル電話又はＰＤＡを適応させるための技術的な労力は比較的低い。なぜなら、略ソフトウェアの変更が必要とされるのみであるからである。
【発明を実施するための最良の形態】
【００３８】
以下本発明は、本発明の更なる利点及び実施例を有し且つ本発明の広範な範囲を狭めるものではない以下の例及び図を用いて、より詳細に説明される。
【００３９】
図１は、携帯型記憶装置ＭＣ、トランスポンダＴ及びホスト装置ＤＥＶを示す。携帯型記憶装置ＭＣは、メモリＭＥＭ、データインタフェースＩＮＴ、スイッチＳＷの形をとるアクセス抑制手段、無線通信インタフェースＲＩ、鍵Ｋについての所定の値Ｖを保存するレジスタ、及び比較器ＣＯＭＰの形をとるチェック手段を有する。比較器ＣＯＭＰは２つの入力部を持ち、一方は無線通信インタフェースＲＩに接続され、他方は所定の値Ｖ用のレジスタに接続される。更に、比較器ＣＯＭＰの出力は、スイッチＳＷを制御するために供給される。図１のシステムの機能は以下のとおりである。
【００４０】
最初に、携帯型記憶装置ＭＣが、ホスト装置ＤＥＶのスロットに差し込まれ、携帯型記憶装置ＭＣとホスト装置ＤＥＶとの間の電気的な接続を提供する。携帯型記憶装置ＭＣはこのとき、ホスト装置ＤＥＶにより電力供給される。続いて、ホスト装置ＤＥＶのユーザは、データＤＡＴが、依然としてホスト装置ＤＥＶに固定された携帯型記憶装置ＭＣから転送されるように要求する。ここで鍵Ｋの要求Ｑが、無線通信インタフェースＲＩにより放送される。携帯型記憶装置ＭＣの近隣にある、即ちより正確に定義すれば携帯型記憶装置ＭＣの無線範囲にあるトランスポンダＴが、当該要求Ｑを受信し、鍵Ｋと共に該要求Ｑに応答する。該応答は次いで、携帯型記憶装置ＭＣの無線通信インタフェースＲＩにより受信される。この後、比較器ＣＯＭＰによって、鍵Ｋが所定の値Ｖと比較される。合致がある場合、比較器ＣＯＭＰは出力を起動し、スイッチＳＷが閉じられるようにする。これによりメモリＭＥＭへのアクセスが提供され、データＤＡＴが携帯型記憶装置ＭＣとホスト装置ＤＥＶとの間で転送されることができる。鍵Ｋが受信されることができない場合、アクセスは依然として拒絶される。携帯型記憶装置ＭＣがホスト装置ＤＥＶに差し込まれたときに既に、鍵Ｋの要求Ｑが送信されていることも可能である。前記アクセス抑制手段は必ずしも、図示されたようにメモリＭＥＭとデータインタフェースＩＮＴとの間のスイッチＳＷの形をとる必要はないことにも留意されたい。実際には、メモリＭＥＭ又はデータインタフェースＩＮＴ用の抑制入力があっても良い。更に、比較器ＣＯＭＰは必ずしもハードウェアである必要はなく、記憶装置ＭＣのプロセッサにおいて動作するソフトウェアにより実現されても良いことは留意されるべきである。
【００４１】
図２は、モバイル装置ＭＯＢがトランスポンダＴの代わりに利用された、図１のシステムを示す。トランスポンダＴは通常（必ずではないが）パッシブであり、このことは自身の電源を持たず、無線通信インタフェースＲＩにより生成される電磁場により電源供給されることを意味する。これとは異なり、モバイル電話又はＰＤＡのようなモバイル装置ＭＯＢはアクティブであり、それ故より大きな通信距離を提供することができる。更なる利点は、別個のトランスポンダＴが必要とされない点である。なぜなら近年、殆ど全ての人がモバイル電話を持っているからである。
【００４２】
図３は、データインタフェースＩＮＴが省略され、携帯型記憶装置ＭＣとホスト装置ＤＥＶとの間のデータ通信が無線通信インタフェースＲＩにより提供される、図１のシステムを示す。従って、付加的に、携帯型記憶装置ＭＣとホスト装置ＤＥＶとの間でデータＤＡＴが非接触で送信され、ユーザにますます受け入れられる。
【００４３】
更に図４は、メモリＭＥＭとデータインタフェースＩＮＴとの間にスイッチＳＷが配置されず、メモリＭＥＭと電源ＰＯＷとの間に配置された、図１のシステムを示す。アクセスが認められた場合、スイッチＳＷが閉じられ、メモリＭＥＭに電力供給する。アクセスが拒絶された場合、スイッチＳＷが開かれ、付加的にエネルギーも節約する。電源ＰＯＷは、バッテリ又は蓄電池のような携帯型記憶装置ＭＣ中のアクティブな電源である必要はなく、ホスト装置ＤＥＶにより電源供給されても良いことは留意されるべきである。この場合には電源ＰＯＷは、電気的なインタフェースＩＮＴとして、又は例えばエネルギーが記憶装置ＭＣに誘導的に送信される場合には、携帯型記憶装置ＭＣの受信コイルとして認識され得る。
【００４４】
最後に図５は、暗号化手段ＥＮＣ及び復号化手段ＤＥＣがインタフェースＩＮＴに組み込まれた、図１のシステムを示す。矢印の方向は、動作モードを示す。ホスト装置ＤＥＶからメモリＭＥＭに転送されるデータＤＡＴは、暗号化手段ＥＮＣにより暗号化される。メモリＭＥＭからホスト装置ＤＥＶに転送されるデータＤＡＴは、復号化手段ＤＥＣにより復号化される。更に、アクセスレベルレジスタＡＣＬＲの形をとるアクセスレベル記憶手段が導入される。該手段の入力部ＩＮは比較器ＣＯＭＰの出力部に接続され、該手段の出力部はスイッチＳＷに接続される。この場合、比較器ＣＯＭＰはスイッチＳＷを直接には制御せず、アクセスレベルレジスタＡＣＬＲを介して該スイッチに影響を及ぼす。比較器ＣＯＭＰは更に、スイッチＳＷＡＲを制御する。該スイッチＳＷＡＲは、無線通信インタフェースＲＩとアクセスレベルレジスタＡＣＬＲとの間に配置され、アクセスレベルレジスタＡＣＬＲの書き込み入力ＷＲを通して、アクセスレベルレジスタＡＣＬＲの書き込みをイネーブルに又はディスエーブルにする。
【００４５】
図５に示された実施例の機能は、本発明の適用例を利用して説明される。この理由のため、携帯型記憶装置ＭＣがメモリスティックであり、ホスト装置ＤＥＶがディジタルカメラであり、モバイル装置ＭＯＢがモバイル電話であることを仮定する。このことは単に本発明を説明するためのものであり、本発明の広範な範囲を限定するものではない。
【００４６】
最初に、システムのユーザが、携帯型記憶装置ＭＣのアクセスレベルを設定する。モバイル装置ＭＯＢは、近接場通信（ＮＦＣ）のための規格に従って通信する機能を持つと仮定する。ＮＦＣ技術は、非接触識別技術（即ちＲＦＩＤ技術）と相互接続技術との組み合わせから発展した。ＮＦＣは、一般に数センチメートルの距離で、１３．５６ＭＨｚの周波数範囲で動作するが、将来は１ｍにまで及ぶ大きな距離が可能となるであろう。ＮＦＣ技術は、ＩＳＯ１８０９２、ＥＣＭＡ３４０及びＥＴＳＩ ＴＳ １０２ １９０における規格である。ＮＦＣはまた、広く確立されたＩＳＯ１４４４３に基づく非接触スマートカード基盤とも互換性がある。
【００４７】
更に、鍵Ｋがモバイル装置ＭＯＢのメモリに保存されていることを仮定する。ユーザは携帯型記憶装置ＭＣをモバイル装置ＭＯＢに近づけ、モバイル装置ＭＯＢ上で、携帯型記憶装置ＭＣのアクセスレベルを変更する機能を起動する。続いて、モバイル装置ＭＯＢは電磁場を発生させ、携帯型記憶装置ＭＣに電力供給する。次いで、携帯型記憶装置ＭＣは、鍵Ｋを送信する要求Ｒをモバイル装置ＭＯＢに送信する。モバイル装置ＭＯＢは次いで、鍵Ｋを携帯型記憶装置ＭＣに送信する。該鍵は、比較器ＣＯＭＰによって所定の値Ｖと比較される。該チェックの結果が真であると、スイッチＳＷＡＲを起動し、アクセスレベルレジスタＡＣＬＲの再書き込みを可能とする。このときユーザは、該ユーザのモバイル装置ＭＯＢにおいて、携帯型記憶装置ＭＣに対して所望されるアクセスレベルを入力する。該アクセスレベルは無線通信インタフェースＲＩに送信され、該インタフェースからアクセスレベルレジスタＡＣＬＲに送信され、該レジスタに保存される。例えば、ユーザは以下の権利を入力したとする。
【表１】
2008512738.tif 000003
【００４８】
読み取りは鍵Ｋが存在するときにのみ可能となり、かくして携帯型記憶装置ＭＣ上の画像の認可されない利用を防止する。一方、書き込みは鍵Ｋがなくても可能とされ、かくしてディジタルカメラＤＥＶの快適な使用を提供する。従って、画像を撮影することは常に可能である。鍵Ｋが存在するか否かにかかわらず削除は禁止され、かくして望ましくないデータの削除を防止する。従って認可されていない人物はメモリカードに更なるデータＤＡＴを書き込むことのみができ、既に保存されているデータＤＡＴにアクセスはできない。列「実行」は本例には関連はない。なぜなら、より良い理解のため、メモリＭＥＭには画像のみが保存されていると仮定されるからである。従って、当該列についてはマークを入力することは禁止される。また該設定は記憶装置ＭＣ全体に関連することが仮定されるが、設定がメモリＭＥＭの単一のファイル又はパーティション若しくはディレクトリにのみ関連することも想定可能である。
【００４９】
ここで、ユーザがモバイル装置ＭＯＢを携帯型記憶装置ＭＣから離し、これによりスイッチＳＷＡＲの開放を引き起こし、記憶装置ＭＣをホスト装置ＭＣに挿入する。次いで、記憶装置ＭＣは、電気的な接触により電力供給される。該ユーザは、記憶装置ＭＣ上の幾つかの画像を閲覧しようと試みるが、モバイル装置ＭＯＢが記憶装置ＭＣの近隣にないため拒絶される。次いで該ユーザは画像を撮影し、記憶装置ＭＣに保存する。このことは、鍵Ｋが存在しなくとも書き込みは可能とされるため、可能である。アクセスレベルレジスタＡＣＬＲの入力部ＩＮにおける「ゼロ」は、該動作に影響を及ぼさない。なぜなら、入力部ＩＮは、「鍵あり」の行にマークがある場合にのみ関連するからである。記憶の間、画像が暗号化される。この目的のため、ユーザの所謂公開鍵ＫＰＵＢが利用される。該鍵ＫＰＵＢは秘密ではないため、携帯型記憶装置ＭＣに保存されても良い。携帯型記憶装置ＭＣが数人のユーザにより共有されている場合、携帯型記憶装置ＭＣはユーザ毎に別個の公開鍵ＫＰＵＢを保存する必要がある。公開鍵ＫＰＵＢがホスト装置ＤＥＶ又はトランスポンダＴ若しくはモバイル装置ＭＯＢから供給されることも想定可能である。暗号化がホスト装置ＤＥＶにより提供され、それによりデータＤＡＴが記憶装置ＭＣ内で更なる処理を必要としないようにすることも可能である。
【００５０】
ここで、ユーザが記憶装置ＭＣをホスト装置ＤＥＶから再び取り出し、画像を該ユーザのコンピュータ（図示されていない）に転送しようと試みる。それ故該ユーザは、携帯型記憶装置ＭＣを該コンピュータの所定のスロットに差し込み、該ユーザのモバイル装置ＭＯＢを記憶装置ＭＣの近隣へと移動させる。記憶装置ＭＣは、該コンピュータへの電気的な接続により電力供給され、鍵Ｋを送信する要求Ｑを放送する。次いで、モバイル装置ＭＯＢは、鍵Ｋを記憶装置ＭＣに送信し、記憶装置ＭＣにおいて鍵Ｋが再び所定の値Ｖと比較される。チェックの結果が真であるため、スイッチＳＷが起動され、メモリＭＥＭとインタフェースＩＮＴとを接続する。更に、データＤＡＴを復号化することを意図された第２の鍵が、携帯型記憶装置ＭＣに送信される。同一の鍵が利用されることも可能であるが、安全性の理由のため、２つの異なる鍵を利用することが好ましい。該第２の鍵は所謂秘密鍵ＫＰＲＩＶであり、秘密であって、認可されていない人物の手に渡るべきではない。該秘密鍵ＫＰＲＩＶ及び復号化手段ＤＥＣを用いてデータＤＡＴが復号化され、該コンピュータに送信され、該コンピュータにおいて閲覧され保存されることができる。
【００５１】
上述の例は、１つのとり得る実施例を説明するものに過ぎない。従って、入力手段を持つトランスポンダＴが、モバイル装置ＭＯＢの代わりに利用されることも想定可能である。また、トランスポンダＴは入力手段を持たないが、ホスト装置ＤＥＶの支援によりアクセスレベルが設定されることも可能である。いずれにしても、このことは鍵Ｋが存在する場合にのみ可能である。そうでなければ、携帯型記憶装置ＤＥＶは多かれ少なかれセキュアでなくなる。
【００５２】
本発明の着想を他の場合の利用に適用することは容易である。従って、本発明のＵＳＢスティックを通して、或るコンピュータから他のコンピュータにデータＤＡＴをセキュアに転送することも可能である。１つのＵＳＢスティックが数人のユーザにより共有されることも可能である。それ故鍵Ｋは、ユーザを識別し、対応するアクセス権を設定するように働き得る。更に、各ユーザが自身の秘密鍵ＫＰＲＩＶを持ち、それにより各ユーザが該ユーザ自身のデータのみを復号化できるようにすることも想定可能である。更に、ユーザ毎に１つのトランスポンダＴ又は１つのモバイル装置ＭＯＢが、１以上の携帯型記憶装置ＭＣに対して動作し、それによりシステムが利用に容易になるようにすることも可能である。トランスポンダＴ又はモバイル装置ＭＯＢが、幾つかのアプリケーションを提供する場合には、更なる利用の容易性の増大が提供される。例えば、エンジンを起動するために必要な車のキーカードが、本発明の記憶装置ＭＣをも開錠しても良い。
【００５３】
トランスポンダＴ又はモバイル装置ＭＯＢが、指紋センサのような更なるセキュリティ装置に取り付けられることも想定可能である。本例においては、適切な指がセンサ上に置かれた場合にのみ、鍵Ｋが送信される。同様な方法は、個人識別番号（ＰＩＮ）を入力するための入力手段であっても良い。更なるセキュリティ装置を、記憶装置ＭＣに取り付ける代わりに、トランスポンダＴ又はモバイル装置ＭＯＢに取り付けることは、記憶装置ＭＣがホスト装置ＤＥＶの中に滑り込み指紋センサがアクセスされ得なくなるような場合であっても、該方法が適切に動作するという利点を持つ。同様の例は、しばしばＰＣの後部のソケットに差し込まれる必要があるＵＳＢスティックである。この場合、指紋の走査は非常に面倒なものとなる。
【００５４】
図に示されたシステムの部分の例は、単により良い理解のために与えられた。トランスポンダＴはスマートカードであっても良く、携帯型記憶装置ＭＣはマイクロドライブであっても良く、ホスト装置ＤＥＶはディジタルカメラであっても良い。更に、携帯型記憶装置ＭＣはメモリカードであっても良く、ホスト装置ＤＥＶはＭＰ３プレイヤであっても良い。最後に、携帯型記憶装置ＭＣがＵＳＢスティックであり、ホスト装置ＤＥＶがＰＣであることも想定可能である。従って、データＤＡＴが画像、音楽の楽曲、ビデオ、テキストファイル又は実行可能なプログラムであっても良いことは容易に理解される。また、モバイル電話又はＰＤＡのようなモバイル装置ＭＯＢは、鍵Ｋの供給元として動作するものと限定されるものではなく、ホスト装置ＤＥＶとしても利用されても良いことは留意されたい。一例は、携帯型記憶装置ＭＣが内部データをバックアップするために、又は外部の供給元からのプログラムの形で付加的な機能を提供するために利用されるＰＤＡである。
【００５５】
この点において、単独で又は組み合わせて出現する本発明の特徴は、組み合わされても良いし又は分離されても良く、本発明の多くの変形及び利用事例が容易に想像され得ることも留意されたい。
【図面の簡単な説明】
【００５６】
【図１】鍵を保存するトランスポンダを持つ本発明のシステムを示す。
【図２】鍵を保存するモバイル装置を持つ本発明のシステムを示す。
【図３】電気的なデータインタフェースが省略された、本発明のシステムを示す。
【図４】メモリの電源を切ることによりアクセスが抑制された、図１のシステムを示す。
【図５】付加的な暗号化／復号化手段及びアクセスレベルを記憶する手段を持つ、図１のシステムを示す。
【図１】
2008512738.tif 000004
【図２】
2008512738.tif 000005
【図３】
2008512738.tif 000006
【図４】
2008512738.tif 000007
【図５】
2008512738.tif 000008
【国際調査報告】
2008512738.tif 000009
2008512738.tif 000010